(57)【特許請求の範囲】
【請求項１】
吊りフックを直接又は間接的に設けた天付き金具を、建造物のコンクリート躯体の下面に固定する工程と、
支持コラムを備えたスライド機構を有する枠体を、天吊り機器の上面に地組みにより取付けて天吊りユニットを形成する工程と、
前記吊りフックに支持させた揚重操作具で前記天吊りユニットを引上げる工程と、
前記支持コラムを天付き金具に連結する工程と、
前記スライド機構で天吊りユニットの水平方向の位置を調節してスライド機構を枠体に固定する工程と、からなることを特徴とする、天吊り機器の一点吊り工法。
【請求項２】
吊りフック付きの天付き金具を、建造物のコンクリート躯体の下面に固定する工程と、枠体の内縁に係合できる受金具に支持コラムを上下動自在に仮止めする工程と、
該受金具と前記枠体を天吊り機器の上面に地組みにより組付けて天吊りユニットを形成する工程と、
前記吊りフックに支持させたワイヤで前記天吊りユニットを引上げる工程と、
前記支持コラムを受金具に対して上動し、その上部を天付き金物に固定する工程と、
前記受金具に対して天吊りユニットの水平方向の位置を調節して両部を固定する工程と、からなることを特徴とする、天吊り機器の一点吊り工法。
【請求項３】
請求項１において、前記スライド機構は、支持コラムで荷重を支持され、且つ一対の立片を有する受板と、枠体内側に設けられて前記立片がスライド自在に係合する係止爪とを備え、該立片と係止爪に添って両部の相対的水平位置を調節して両部を固定することを特徴とする、天吊り機器の一点吊り工法。
【請求項４】
天吊り機器をその下部に連結する枠体であって、該枠体は、その中央に下向きに設けた一対の係止爪と、該係止爪にスライド自在に係合する一対の立片を有する受板とからなるスライド機構と、該受板に取付けた支持コラムを備えるものであり、且ついずれかの位置に引上げ用の仮吊りブロックを係止させ得る部位を備えたことを特徴とする、揚重用器具。
【発明の詳細な説明】
【０００１】
【発明の属する技術分野】
本発明は、建造物の天井部から吊下げて使用する大重量の機器を、該天井部まで引上げて固定するための工法及び該工法に使用する揚重用器具に関する。
【０００２】
【従来の技術】
ビルに設置される空調装置の空気吹出部を形成するファンコイルユニットの如き装置には、１００ｋｇ程度の重量を有するものもあり、このような機器を天吊りするためには、例えば特開平８−１２７４９８号公報に示されるように、その機器を揚重車によって天井近くまで押上げ、作業員は、昇降自在の高所作業車に乗って機器の４箇所を天井に固定する手段が採られている。この手段を用いると、少なくとも高所作業車と揚重車の２台を使用するため広い床面が確保されなければならず、また揚重車で該機器を取付け位置に正確に押上げる必要があり、このため少なくとも二人の作業員が協力して行なうのが一般である。
【０００３】
【発明が解決しようとする課題】
本発明は、揚重車を使用することなく、また、１人の作業員であっても天吊り機器を天井に取付けできるようにすることを課題とする。
【０００４】
【課題を解決するための手段】
前記課題を解決するための手段の一つは、請求項１に記載したとおり、吊りフックを直接又は間接的に設けた天付き金具を、建造物のコンクリート躯体の下面に固定する工程と、支持コラムを備えたスライド機構を有する枠体を、天吊り機器の上面に地組みにより取付けて天吊りユニットを形成する工程と、前記吊りフックに支持させた揚重操作具で前記天吊りユニットを引上げる工程と、前記支持コラムを天付き金具に連結する工程と、前記スライド機構で天吊りユニットの水平方向の位置を調節してスライド機構を枠体に固定する工程と、からなることを特徴とする。
【０００５】
この手段によれば、天付き金具をコンクリート躯体に固定し、天吊りユニットを揚重操作具で吊上げたのち、支持コラムを天付き金具に固定し、天吊りユニットの水平位置を調節して枠体と受板を固定することにより工事が終了する。
【０００６】
また他の手段は、請求項２に記載したとおり、吊りフック付きの天付き金具を、建造物のコンクリート躯体の下面に固定する工程と、枠体の内縁に係合できる受金具に支持コラムを上下動自在に仮止めする工程と、該受金具と前記枠体を天吊り機器の上面に地組みにより組付けて天吊りユニットを形成する工程と、前記吊りフックに支持させたワイヤで前記天吊りユニットを引上げる工程と、前記支持コラムを受金具に対して上動し、その上部を天付き金物に固定する工程と、前記受金具に対して天吊りユニットの水平方向の位置を調節して両部を固定する工程と、からなることを特徴とする。
【０００７】
この各手段によれば、天付き金具をコンクリート躯体に固定し、天吊りユニットをワイヤで吊上げたのち、支持コラムを天付き金具に固定し、支持コラムに対する天吊りユニットの上下方向及び水平方向の位置を調節して固定すれば取付け工事が終了する。
【０００８】
また、前記の工法において揚重用器具として使用される枠体は、請求項４に記載したとおり、天吊り機器をその下部に連結する枠体であって、該枠体は、その中央に下向きに設けた一対の係止爪と、該係止爪にスライド自在に係合する一対の立片を有する受板とからなるスライド機構と、該受板に取付けた支持コラムを備えるものであり、且ついずれかの位置に引上げ用の仮吊りブロックを係止させ得る部位を備えたことを特徴とする。この器具を用いることにより、天吊り機器の引上げ及び位置決めを簡単にすることができる。
【０００９】
【発明の実施の形態】
以下、図面を参照して発明の実施の形態を説明する。図１において、１は建造物の上階の床スラブ、２は床スラブ中の鉄筋に溶接して取付けた天付き金具、３は空調装置の空気吹出部となるファンコイルユニット、４は揚重を補助するための器具となる枠体であり、枠体４とファンコイルユニット３は、ねじなどの適宜の固着手段５で一体に結合されている。枠体４の中心位置には、支持コラム６が配置されており、該支持コラム６は、図外のスライド機構を介して枠体４に係合してこれを小距離引上げることができると共に、水平方向には位置の調節が可能であり、位置決め後に定位置に固定されるようになっている。
【００１０】
前記固定手段５による結合によって、ファンコイルユニット３，枠体４，支持コラム６等は、天吊りユニット７を構成し、該天吊りユニット７は、後述する手段によって引上げられ、天付き金具２と支持コラム６が係合され、更に、天井スラブ１に設けたフック８から吊下げた４本の補助ワイヤ８ａによって支持される。図中９は、天吊り金具２と一体に設けた吊りフックで、天吊りユニット７をワイヤで引上げるとき、該ワイヤに対する支持体になる。また、天吊り金具２の吊りフック９より下方の側面には、支持コラム６の後記する止めねじ６ｅが進入する凹部が、上下に適数個設けられている。
【００１１】
図２は、図１の各部を分離した斜視図であり、ファンコイルユニット３には、前記補助ワイヤ８ａの下端が連結される長孔付きの耳片１０が４隅に固定されており、前記スライド機構は、符号１１で示してある。
【００１２】
図３は、枠体４の分解斜視図で、該枠体４は、各一対の箱体４ａと側板４ｂを有し、その箱体４ａ，４ａが、間隔を開けて一対の側板４ｂ，４ｂで四角形に結合され、その内側に空間が形成されるようになっている。そして、箱体４ａ，４ａの内周壁には、その上端で折返されて下向きに曲がる係止爪１２が連設されている。また１３は受板で、図４で明らかなように平板部１３ａの両側に一対の立片１３ｂが上向きに屈曲され、平板部１３ａの中心に穴１３ｃが穿設され、該穴１３ｃに前記支持コラム６の下端のねじ部６ａが挿入係止される。そして、この受板１３と前記係止爪１２を含む箱体４ａの側壁で前記のスライド機構１１を構成し、受板１３は、箱体４ａに対して図３の矢印方向のスライドができ、位置調節後、押しねじ１３ｄで箱体側壁に固定される。
【００１３】
支持コラム６のねじ部６ａは、平板部１３ａの厚さよりかなり長く形成され、上方にロックナット６ｂが螺合され、下端を穴１３ｃに挿入後、該下端に鉄ソケット６ｃが固定される。なお、この鉄ソケット６ｃに代えてナットを螺合しておいてもよい。支持コラム６の上部は、中空部６ｄとされ、上端近くに止めねじ６ｅが螺装されている。
【００１４】
ファンコイルユニット３は、引上げに先立って耳片１０側を上面として床面又は運搬車上に置かれ、その上に受板１３、枠体４が置かれて固定手段５で一体に地組みされて天吊りユニット７を形成する。その際に、支持コラム６には、受板１３に組付けられているが、そのロックナット６ｂは上方の緩み位置まで移動されており、支持コラム６は、ロックナット６ｂが受板１３の平板部１３ａに当るまで、又は該支持コラム６の下端がファンコイルユニット３に当るまで下降している。
【００１５】
図５は天吊りユニット７を引上げるための手段を示し、両側の係止爪１２，１２の端部付近の枠体４の適所に、一対の仮吊りブロック１５，１５が移動不能に係止され、これにワイヤ１６とリング１７が接続されている。
【００１６】
１８は揚重操作具を示し、該揚重操作具１８は、先端が下向きに湾曲したガイドパイプ１８ａ中にワイヤ１８ｂが挿入され、該ワイヤ１８ｂの先端にフック１８ｃが固定され、ワイヤ１８ｂの後端は、パイプ１８ａの下部に取付けた電動リール１８ｄに巻取られるようになっている。ガイドパイプ１８ａの先端の湾曲部を吊りフック９に係止させ、該ガイドパイプ１８の下端を資材搬送車などの重量物に動かないように係止して、フック１８ｃをリング１７に掛けて電動リール１８ｄを作動させると、天吊りユニット７を任意の位置まで上昇させることができる。
【００１７】
支持コラム６の上端が天付き金具２の下端近くに達したとき電動リール１８ｄを止め、図６に示すように作業員が高所作業台２０に乗って固定作業をする。この固定作業は、支持コラム６を枠体４から少し持ち上げて中空部６ｄを天吊り金具２に嵌合させながら、下端の鉄ソケット６ｃが平板部１３ａに近接するまで支持コラム６を押上げ、適宜の深さに嵌合したとき上部の押しねじ６ｅを推進させて天付き金具２の側面の凹部の一つに係合させる。この状態で平板部１３ａは鉄ソケット上に着座しているから、ロックナット６ｂを締付けて平板部１３ａの上面に圧接させると、受板１３は支持コラム６に固定され、したがって天付き金具２に固定されることになる。このロックナット６ｂの締付け後に係止爪１２と挿入片１３ｂを長手方向にずらせながら天吊りユニット７の位置を調節し、定位置でワイヤ１８ａを緩めて天吊りユニット７の重量を受板１３に掛け、押しねじ１３ｄを本締めし、更にロックナット６ｂを締付けると天吊りユニット７は定位置に取付けられ、またファンコイルユニット３の４隅の耳片１０に床スラブ１から垂らした補助ワイヤ８ａを連結し、ファンコイルユニット３の位置を確定する。
【００１８】
なお、前記の実施の形態は、いくつかの点で次のように部分的に変更することができる。図８は、コ字状の受板１３に代えてＨ形の受板２１を使用し、その平板部２１ａをねじ部６ａに固定するために、ロックナット６ｂと受けナット６ｆを上下に使用している。
【００１９】
図９は、中空部をもつ支持コラム６に代えて、上部が棒状の支持コラム２２が使用され、該支持コラムに２２を天付き金具２に間接的に連結するために継手管２３が使用されている。該継手管２３は、側部に吊りフック９を有し、その上下に止めねじ６ｅ，２４を備え、継手管２３を止めねじ６ｅで天吊り金具２に固定したのち、吊りフック９を利用して天吊りユニット７を引上げ、その支持コラム２２を継手管２３に挿入して止めねじ２４で固定する。
【００２０】
図１０も支持コラム２２を天吊り金具２に間接的に連結する側を示し、継手管２３の下部は、長手方向に伸びる半管部２３ａとされ、これに半管蓋２３ｂがヒンジ２３ｃで取付けられており、半管蓋２３ｂの自由端側に閉蓋用の止めねじ２３ｄが設けられている。そして、支持コラム２２の上部を半管部２３ａと半管蓋２３ｂで挟持し、且つ止めねじ２４で固定する。この構造によれば、支持コラム２２を管状体の中に長手方向に挿入する必要がなく、適宜の高さに固定することができる。したがって該支持コラム２２に対して受板１３の位置を調節可能にする必要はなく、支持コラムに最初から受板１３を固定した構造のものを使用できる。
【００２１】
次に図１１は、天付き金具２に対する支持コラム２２の結合を更に容易にしたものであり、天付き金具２の側面に、複数の鋸歯状の掛け爪２５ａを上下方向に配列した掛け金具２５を固着し、支持コラム２２の上端には、下向きコ字状の縁で形成した吊枠２６を連設してある。この吊枠２６を図１１（ｂ）に示すように掛け爪２５ａの一つに掛け、前記ワイヤ１８ａを緩めて支持コラム２２を吊下げ、絞付けバンド２７で支持コラム２２を天吊り金具２に固定する。
【００２２】
なお、前記の揚重操作具として、軽量の天吊りユニットを揚重する場合は、ワイヤ１８ｂを単独で使用することができ、該ワイヤ１８ｂを吊りフック９に直接掛けて下端を引下げ固定するようにしてもよい。
【００２３】
【発明の効果】
以上の説明から明らかなように、本発明の工法によれば、天井に機器を固定するための天付き金具を設け、該金具を利用して吊りフックを設け、該吊りフックに揚重操作具を支持させて天吊りユニットを一点吊りで引上げるから、高所作業車を用いることなく、電動リールの如き簡単な手段を用いて１人の作業員でも揚重することができる。そして天吊りユニットに設けた支持コラムを天付き金具に連結した後に、支持コラムと該天吊りユニットの上面の枠体の間に設けたスライド機構で天吊りユニットの位置を調節し、該スライド機構を固定し揚重操作具を解除すればよいので、ボルト、ナットを用いて４点を吊下げる従来の工法に比べて、取付け位置の微調整が容易で固定手段が簡単であり、１人の作業員でも短時間で作業を完了できる利点がある。
【００２４】
また、請求項４の揚重用器具は、これを用いることにより、前記一点吊り工法における天吊り機器の揚重、位置決め及び固定の各作業を容易に行なうことができる利点がある。
【図面の簡単な説明】
【図１】  天吊り後の状態を示す正面図
【図２】  主要部分の分解斜視図
【図３】  枠体の分解斜視図
【図４】  スライド機構の縦断面図
【図５】  引上げ作業の斜視図
【図６】  位置決め作業の正面図
【図７】  位置決め完了時の縦断面図
【図８】  スライド機構の別の形態の例を示す縦断面図
【図９】  支持コラム連結の他の例を示す縦断面図
【図１０】  支持コラム連結の更に他の例を示す縦断面図
【図１１】  支持コラム連結の別の例を示す縦断面図
【符号の説明】
１    床スラブ                    ２    天付き金具
３    ファンコイルユニット        ４    枠体
５    固着手段              ６，２２    支持コラム
６ｂ  ロックナット                ６ｃ  鉄ソケット
７    天吊りユニット            ８ａ    補助吊りワイヤ
９    吊りフック                １０    耳片
１１    スライド機構              １２    係止爪
１３    受板                      １３ｂ  立片
１８    揚重操作具                ２３    継手管
【図１】
0003923185.tif 000002
【図２】
0003923185.tif 000003
【図３】
0003923185.tif 000004
【図４】
0003923185.tif 000005
【図５】
0003923185.tif 000006
【図６】
0003923185.tif 000007
【図７】
0003923185.tif 000008
【図８】
0003923185.tif 000009
【図９】
0003923185.tif 000010
【図１０】
0003923185.tif 000011
【図１１】
0003923185.tif 000012